(57)【要約】【課題】  エレベーターの養生作業が迅速、かつ容易に行うことができる養生パネルの連結材と養生構造を提供することにある。【解決手段】  ヒンジ部と、該ヒンジ部を介して左右対称に連設された一対の挟着部を含み、前記一対の挟着部はばね性を有する一対の挟着片と、該一対の挟着片をコ字形に連結し、かつ前記ヒンジ部と連なる連結片を有する連結材２０を介して床面養生パネル１０と折り返し養生パネル１２が連結され、各側壁７には、各連結材２０を介して各側壁面養生パネル１４が連結され、更に天井を養生保護する穴明き天井養生パネルが連結材を介して側壁に連結されて、昇降かご５内の床６、側壁７及び天井と出入口３がそれぞれの養生パネル１０、１２、１４、１６により養生保護される。【選択図】    図６
2006290596.tif 000002
【特許請求の範囲】
【請求項１】
熱可塑性硬質合成樹脂材である例えば、ポリプロピレン樹脂材による一体成形品として得られるもので、肉薄細帯状のヒンジ部（２１）と、該ヒンジ部（２１）を介して左右対称に連設された一対の挟着部（２２）を含み、
前記一対の挟着部（２２）は、ばね性を有する一対の挟着片（２３）と、該一対の挟着片（２３）をコ字形に連結し、かつ前記ヒンジ部（２１）と連なる連結片（２４）を有し、  該一対の挟着部（２２）は、養生パネネルを連結する際に、それぞれ前記一対の挟着片（２３）がそのばね性に抗しコ字形に拡開して前記養生パネルが差し込まれ、かつ一対の挟着片（２３）のばね性により固定的に挟着連結される構成を特徴とする養生パネルの連結材（２０）。
【請求項２】
前記一対の挟着部（２２）における前記挟着片（２３）の一方又は両方の表面に、着脱可能な磁性体（２５）が設けられている構成を特徴とする請求項１の養生パネルの連結材（２０）。
【請求項３】
昇降かご（５）内の床（６）、側壁（７）及び天井（８）と出入口（３）を各養生パネルにより養生保護するエレベーターの養生構造であって、
前記床（６）を養生保護する床面養生パネル（１０）の三辺の端縁適所と残り一辺の端縁中央部位に、それぞれ請求項１の連結材（２０）の一方の挟着部（２２）が差し込まれ、かつ磁性体（２５）を介して前記床（６）の表面に着脱可能に吸着固定されるとともに、前記三辺の端縁適所に取り付けられた前記各連結材（２０）における他方の挟着部（２２）はヒンジ部（２１）を介して略Ｌ形に折り曲げ形成され、かつ磁性体（２５）を介して前記各側壁（７）の表面下端に着脱可能に吸着固定されて、前記床（６）上に前記床面養生パネル（１０）が設けられ、
前記床面養生パネル（１０）の残り一端縁の中央部位に設けられた前記連結材（２０）の他方の挟着部（２２）には、乗場ドア（４）と昇降かごドア（９）の全開状態が維持されて形成された出入口（３）上面を養生保護し、かつエレベーターの運転時には前記昇降かご（５）内に折り返される折り返し養生パネル（１２）の端縁中央部位が差し込まれて連結され、
前記各側壁（７）のコーナー縦方向の適所には、略Ｌ形に折り曲げ形成された前記各連結材（２０）が、その挟着部（２２）をそれぞれ側壁（７）の表面に磁性体（２５）を介して着脱可能に吸着固定して設けられ、
前記各側壁（７）の表面下端に吸着固定の前記各連結材（２０）における上向き挟着部（２２）と、前記各側壁（７）のコーナー縦方向に吸着固定の前記各連結材（２０）における挟着部（２２）に各側壁（７）を養生保護する側壁面養生パネル（１４）の下端縁と側端縁が差し込まれて設けられ、
前記天井（８）を養生保護する穴明き天井養生パネル（１６）の四辺の端縁適所に、それぞれ前記連結材（２０）の一方の挟着部（２２）が差し込まれ、かつ磁性体（２５）を介して前記各側壁（７）の表面上部に着脱可能に吸着固定されるとともに、前記それぞれの連結材（２０）の他方の下向き挟着部（２２）に前記側壁面養生パネル（１４）の上端縁が差し込まれて前記穴明き天井養生パネル（１６）が設けられ、
以って、前記昇降かご（５）内の床（６）、側壁（７）及び天井（８）と出入口（３）が前記それぞれの養生パネル（１０）、（１４）、（１６）、（１２）により養生保護される構成を特徴とするエレベーターの養生構造。
【発明の詳細な説明】
【技術分野】
【０００１】
本発明は、養生パネルの連結材と、この連結材を用いて昇降かご内の床、各側壁及び天井と出入口にそれぞれの養生パネルが着脱可能に吸着固定されて、これら床、各側壁及び天井、出入口面が外傷や汚れ等から養生保護されるエレベーターの養生構造に関する。
【背景技術】
【０００２】
一般にエレベーターは、図４に示されているように、乗場１に面して設けられた三方枠２と、この三方枠２の内側に形成された出入口３と、この出入口３に設けられた乗場ドア４と、この乗場ドア４の内側に設けられた昇降かご５を有している。
【０００３】
昇降かご５は、図５に概略的に示されているように、床６、側壁７、天井８及び昇降かごドア９を有し、昇降かごドア９と乗場ドア４はほぼ同時に開閉するようになっている。
【０００４】
このような構成に係るエレベーターは、例えば、建築物であるビルオーナーの所有物であり、ビル入居者の使用物である。
【０００５】
そこで、エレベーターの設置してあるビル等において建築作業や改築作業等を行う場合、建築資材や工具類等の搬入・搬出、作業員の出入りが階段の上がり下がりであるとすると、作業効率が悪いばかりか、疲労度が増すためにエレベーターを借りて使用することになる。
【０００６】
ところで、エレベーターを借用する以上はこれを傷付けたり、汚したりすることは許されないために、これら外傷等からエレベーターの出入口や昇降かご内を養生保護する必要がある。
【０００７】
従来のエレベーターの養生としては、図１５から図１８に示されているように、床６上に床面養生パネル１０がマグネットテープ等（図示を省略）で仮固定されて床面が養生され、床面養生パネル１０の出入口３側に面した端縁には蝶番１１を介して折り返し養生パネル１２が連結され、乗場ドア４と昇降ドア９の開成時には、折り返し養生パネル１２の対向する両側端が両ドア４、９に当たっていて開成状態が維持され、折り返し養生パネル１２により出入口３や敷居が養生保護され（図１５参照）、エレベーターの運転時には、昇降かご５内の作業員によって折り返し養生パネル１２と連結の紐１３が手前に引かれることにより蝶番１１を介して折り返し養生パネル１２が昇降かご５内に折り返され、乗場ドア４と昇降かごドア９との当たりが解除されて両ドア４、９は閉成されるようになっている（図１６参照）。
【０００８】
側壁７の養生は、図１５及び図１６に示されているように、縦方向に一部分を除いた各側壁７に側壁面養生パネル１４がマグネットテープや粘着テープ（図示を省略）で仮固定されて各側壁面が養生されている。
【０００９】
天井８の養生は、図１７及び図１８に示されているように、すのこ状補強枠１５の下面側に、多数の穴１７を有する穴明き天井養生パネル１６が釘着等により重合固定され、これが各側壁７の四隅に立設され、かつ粘着テープ等（図示を省略）で仮固定された４本の支柱１８の上端に水平状態で載置されて天井８が養生されている。
【００１０】
なお、天井養生パネル１６に明けられている多数の穴１７は、天井に設けられている照明（図示を省略）の明かり、熱を外に出すためである。
【００１１】
このように従来においては、床面養生パネル１０と折り返し養生パネル１２は蝶番１１をもって連結されるため、小さい蝶番１１の場合には止めねじも細く、折り返し養生パネル１２の折り返し操作回数が多くなると、止めねじが抜けて蝶番１１が外れてしまうために用をなさず、又、大きい蝶番１１の場合には、止めねじも太く大きくてパネル１０、１２から突出して床面等の被養生面を傷付けてしまうという問題点があった。
【００１２】
又、従来においては、天井８の養生のためには、各側壁７の四隅にそれぞれ支柱１８を立てて仮固定しなければならないため、工具による支柱材の切断作業や粘着テープ等による側壁７への仮固定作業に多くの時間を要して、養生作業時間の短縮化という要請に答え得るものではなかった。
【発明の開示】
【発明が解決しようとする課題】
【００１３】
本発明が解決しようとする問題点は、床面養生パネル１０と折り返し養生パネル１２との蝶番１１を介しての枢着に問題があって、下地を傷付けたり、又、折り返し養生パネル１２を繰り返し何回にもわたって使用することができないという点である。
【００１４】
又、天井８の養生には、側壁７の四隅にそれぞれ支柱１８を立設し、かつ粘着テープ等で側壁７に仮固定しなければならないために、現場における支柱材の切断等の作業時間が長くなって、迅速に養生作業ができないという点である。
【００１５】
従って、本発明の目的は、エレベーターの養生作業が迅速、かつ容易に行うことができる養生パネルの連結材を提供することにある。
【００１６】
又、本発明の目的は、養生パネルの連結材を用いてエレベーターの養生作業を迅速にして、かつ容易に行うことができる養生構造を提供することにある。
【００１７】
この目的のため、本発明の請求項1に記載の養生パネルの連結材２０は、  熱可塑性硬質合成樹脂材である例えば、ポリプロピレン樹脂材による一体成形品として得られるもので、肉薄細帯状のヒンジ部２１と、該ヒンジ部２１を介して左右対称に連設された一対の挟着部２２を含み、
前記一対の挟着部２２は、ばね性を有する一対の挟着片２３と、該一対の挟着片２３をコ字形に連結し、かつ前記ヒンジ部２１と連なる連結片２４を有し、  該一対の挟着部２２は、養生パネネルを連結する際に、それぞれ前記一対の挟着片２３がそのばね性に抗しコ字形に拡開して前記養生パネルが差し込まれ、かつ一対の挟着片２３のばね性により固定的に挟着連結される構成を特徴とするものである。
【００１８】
本発明の請求項２に記載の養生パネルの連結材２０は、前記一対の挟着部２２における前記挟着片２３の一方又は両方の表面に、着脱可能な磁性体２５が設けられている構成を特徴とするものである。
【００１９】
本発明の請求項３に記載のエレベーターの養生構造は、昇降かご５内の床６、側壁７及び天井８と出入口３を各養生パネルにより養生保護するエレベーターの養生構造であって、
前記床６を養生保護する床面養生パネル１０の三辺の端縁適所と残り一辺の端縁中央部位に、それぞれ請求項１の連結材２０の一方の挟着部２２が差し込まれ、かつ磁性体２５を介して前記床６の表面に着脱可能に吸着固定されるとともに、前記三辺の端縁適所に取り付けられた前記各連結材２０における他方の挟着部２２はヒンジ部２１を介して略Ｌ形に折り曲げ形成され、かつ磁性体２５を介して前記各側壁７の表面下端に着脱可能に吸着固定されて、前記床６上に前記床面養生パネル１０が設けられ、
前記床面養生パネル１０の残り一端縁の中央部位に設けられた前記連結材２０の他方の挟着部２２には、乗場ドア４と昇降かごドア９の全開状態が維持されて形成された出入口３上面を養生保護し、かつエレベーターの運転時には前記昇降かご５内に折り返される折り返し養生パネル１２の端縁中央部位が差し込まれて連結され、
前記各側壁７のコーナー縦方向の適所には、略Ｌ形に折り曲げ形成された前記各連結材２０が、その挟着部２２をそれぞれ側壁７の表面に磁性体２５を介して着脱可能に吸着固定して設けられ、
前記各側壁７の表面下端に吸着固定の前記各連結材２０における上向き挟着部２２と、前記各側壁７のコーナー縦方向に吸着固定の前記各連結材２０における挟着部２２に各側壁７を養生保護する側壁面養生パネル１４の下端縁と側端縁が差し込まれて設けられ、
前記天井８を養生保護する穴明き天井養生パネル１６の四辺の端縁適所に、それぞれ前記連結材２０の一方の挟着部２２が差し込まれ、かつ磁性体２５を介して前記各側壁７の表面上部に着脱可能に吸着固定されるとともに、前記それぞれの連結材２０の他方の下向き挟着部２２に前記側壁面養生パネル１４の上端縁が差し込まれて前記穴明き天井養生パネル１６が設けられ、
以って、前記昇降かご５内の床６、側壁７及び天井８と出入口３が前記それぞれの養生パネル１０、１４、１６、１２により養生保護される構成を特徴とするものである。
【発明の効果】
【００２０】
請求項1に記載の発明によれば、  養生パネルを連結するには、それぞれ一対の挟着部における一対の挟着片をコ字形に拡開して養生パネルを差し込めばよく、これにより各養生パネルは一対の挟着片のばね性により固定的に挟着連結されるので、養生パネルの連結に蝶番や連結金具を一切必要とせず、簡易にして、かつ迅速に養生パネルを連結することができる。
【００２１】
又、一対の挟着部はヒンジ部で連設されているから、挟着部を簡単に略Ｌ形に折り曲げることができ、コーナーにおける養生パネルの連結も簡易に行うことができる。
【００２２】
又、全体がポリプロピレン樹脂材等の熱可塑性硬質合成樹脂材による一体成形品とし、かつ長尺物として得られるものであるから、量産的であって、安価に製作できて経済的である。
【００２３】
又、長尺物として得られるものであるから、エレベーターを養生する場合、現場において使用箇所に対応した寸法に簡単に切断してこれを用いることができ、至便である。
【００２４】
請求項２に記載の発明によれば、連結材を簡単に着脱することができ、しかも被養生面にのり、傷等何らの跡も残すことなく連結材を取り除くことができ、又、繰り返し同じ連結材の再使用ができるので、経済的である。
【００２５】
請求項３に記載の発明によれば、エレベーターにおける昇降かご内の床、各側壁及び天井と出入口を簡易にして、かつ迅速に、しかも被養生面を損なうことなく、養生保護することができる。
【発明を実施するための最良の形態】
【００２６】
以下に図面を参照して、本願に係る発明を実施するための最良の形態についてその作用と共に説明する。
【００２７】
先ず、本養生パネルの連結材について説明すると、図１は、本発明に係る連結材の一例での一部省略の平面図、図２は、図１の２―２線に沿った断面図、図３は、磁性体の部分拡大断面図である。
【００２８】
これら図において、本連結材２０は、その全体が熱可塑性硬質合成樹脂材である例えば、ポリプロピレン樹脂材、ポリエチレン樹脂材、ＡＢＳ樹脂材による一体成形品として得られるもので、肉薄細帯状のヒンジ部２１と、該ヒンジ部２１を介して左右対称に連設された一対の挟着部２２を含んでいる。
【００２９】
なお、本連結材２０は、長尺物として得られ、養生パネルの連結箇所や連結形態等の条件に対応し、適当な長さに切断して使用される。
【００３０】
一対の挟着部２２は、ばね性を有する一対の挟着片２３と、該一対の挟着片２３をコ字形に連結し、かつヒンジ部２１と連なる連結片２４を有し、  該一対の挟着部２２は、養生パネルを連結する際に、それぞれ一対の挟着片２３がそのばね性に抗しコ字形に拡開して養生パネルが差し込まれ、かつ一対の挟着片２３のばね性により固定的に挟着連結されるように構成されている。
【００３１】
一対の挟着部２２における挟着片２３の一方又は両方の表面に、着脱可能な磁性体２５が設けられている。
【００３２】
この磁性体２５は、異方性のゴムマグネットテープであって、図３に示されているように、磁気の強い面２６を外側に向け、磁気の弱い面側は布製両面テープ２７を介して挟着片２３に接着固定されている。
【００３３】
なお、図１において磁性体２５は部分的に設けられているが、これに限定されず、挟着片２３の長手方向全体に設けるようにしてもよい。  
【００３４】
次に、上記の構成に係る本連結材２０を用いてエレベーターの昇降かご５内の床６、側壁７及び天井８と出入口３を各養生パネルにより養生保護する本発明に係るエレベーターの養生構造を図６から図１４に基づいてその作用と共に説明する。
【００３５】
図６は、本発明に係るエレベーターの養生構造の一例での一部横断の概略平面図で、乗場ドア４と昇降かごドア９の開成状態を示し、図７は、図６における床面養生パネル１０と折り返し養生パネル１２の連結状態を示す一部を省略し、かつ断面して示す側面図、図８は、本発明に係るエレベーターの養生構造の一例での一部横断の概略平面図で、乗場ドア４と昇降かごドア９の閉成状態を示す。
図９は、折り返し養生パネル１２が折り畳まれた状態を示す一部を省略し、かつ断面して示す側面図、図１０は、昇降かご５の側壁７のコーナーにおける側壁面養生パネル１４の連結状態を示す一部省略の断面図、図１１は、側壁７等に対する連結材２０の吸着状態を示す部分断面図、図１２は、床面養生パネル１０の側壁７との連結状態を示す一部省略の部分断面図、図１３は、天井養生パネル１６と各側壁７との連結状態を示す概略平面図、図１４は、天井養生パネル１６と側壁７との連結状態を示す一部省略の断面図である。
【００３６】
図６から図９と図１２において、エレベーターの昇降かご５の床６を養生保護する床面養生パネル１０の三辺の端縁適所と残り一辺の端縁中央部位に、それぞれ連結材２０の一方の挟着部２２が差し込まれ、かつ磁性体２５を介して床６の表面に着脱可能に吸着固定されるとともに、床６の三辺の端縁適所に取り付けられた各連結材２０における他方の挟着部２２はヒンジ部２１を介して略Ｌ形に折り曲げ形成され、かつ磁性体２５を介して各側壁７の表面下端に着脱可能に吸着固定されて、床６上に床面養生パネル１０が設けられる。
【００３７】
床面養生パネル１０の残り一端縁の中央部位に設けられた連結材２０の他方の挟着部２２には、折り返し養生パネル１２の一端縁中央部位が差し込まれて連結される。
【００３８】
この折り返し養生パネル１２は、乗場ドア４と昇降ドア９の開成時にはその対向する両側端が両ドア４、９に当たっていて開成状態が維持されて出入口３や敷居が養生保護され（図６参照）、エレベーターの運転時には、昇降かご５内の作業員によって折り返し養生パネル１２と連結の紐１３が手前に引かれることにより、連結材２０におけるヒンジ部２１を介して折り返し養生パネル１２が図７に示された実線矢印方向に回動して昇降かご５内に折り返され、乗場ドア４と昇降かごドア９との当たりが解除されて両ドア４、９は閉成されるようになっている（図８、図９参照）。
【００３９】
各側壁７のコーナー縦方向の適所には、ヒンジ部２１を介して略Ｌ形に折り曲げ形成された各連結材２０が、その挟着部２２をそれぞれ側壁７の表面に磁性体２５を介して着脱可能に吸着固定して設けられ、各側壁７の表面下端に吸着固定の各連結材２０における上向き挟着部２２と、各側壁７のコーナー縦方向に吸着固定の各連結材２０における挟着部２２に各側壁７を養生保護する側壁面養生パネル１４の下端縁と側端縁が差し込まれて設けられる。
【００４０】
天井８を養生保護する穴明き天井養生パネル１６の四辺の端縁適所に、それぞれ連結材２０の一方の挟着部２２が差し込まれ、かつ磁性体２５を介して各側壁７の表面上部に着脱可能に吸着固定されるとともに、それぞれの連結材２０の他方の下向き挟着部２２に側壁面養生パネル１４の上端縁が差し込まれて穴明き天井養生パネル１６が設けられる。
【００４１】
なお、天井養生パネル１６に明けられている多数の穴１７は、天井に設けられている照明（図示を省略）の明かり、熱を外に出すためである。
【００４２】
このようにして、エレベーターの昇降かご５内の床６、側壁７及び天井８と出入口３は、連結金具を一切要することなく、それぞれに吸着配置された連結材２０と連結の各養生パネル１０、１２、１４、１６によって養生保護される。
【図面の簡単な説明】
【００４３】
【図１】本発明に係る連結材の一例での一部省略の平面図である。
【図２】図１の２―２線に沿った断面図である。
【図３】磁性体の部分拡大断面図である。
【図４】エレベーターの概略正面図である。
【図５】一部を切欠して示す昇降かごの概略斜視図である。
【図６】本発明に係るエレベーターの養生構造の一例での一部横断の概略平面図で、乗場ドアと昇降かごドアの開成状態を示す。
【図７】図６における床面養生パネルと折り返し養生パネルの連結状態を示す一部を省略し、かつ断面して示す側面図である。
【図８】本発明に係るエレベーターの養生構造の一例での一部横断の概略平面図で、乗場ドアと昇降かごドアの閉成状態を示す。
【図９】折り返し養生パネルが折り畳まれた状態を示す一部を省略し、かつ断面して示す側面図である。
【図１０】昇降かごの側壁のコーナーにおける側壁面養生パネルの連結状態を示す一部省略の断面図である。
【図１１】側壁等に対する連結材の吸着状態を示す部分断面図である。
【図１２】床面養生パネルの側壁との連結状態を示す一部省略の断面図である。
【図１３】天井養生パネルと各側壁との連結状態を示す概略平面図である。
【図１４】天井養生パネルと側壁との連結状態を示す一部省略の断面図である。
【図１５】従来のエレベーターの養生構造を示す一部横断の概略平面図で、乗場ドアと昇降かごドアの開成状態を示す。
【図１６】従来のエレベーターの養生構造を示す一部横断の概略平面図で、乗場ドアと昇降かごドアの閉成状態を示す。
【図１７】従来の天井養生パネルの一部省略の平面図である。
【図１８】図１７の１８−１８線に沿った断面図である。
【符号の説明】
【００４４】
３    出入口
４    乗場ドア
５    昇降かご
６    床    
７    側壁    
８    天井  
９    昇降かごドア
１０    床面養生パネル
１２    折り返し養生パネル
１３    紐
１４    側壁面養生パネル
１６    天井養生パネル
１７    穴
２０    連結材
２１    ヒンジ部
２２    一対の挟着部
２３    一対の挟着片
２４    連結片
２５    磁性体
【図１】
2006290596.tif 000003
【図２】
2006290596.tif 000004
【図３】
2006290596.tif 000005
【図４】
2006290596.tif 000006
【図５】
2006290596.tif 000007
【図６】
2006290596.tif 000008
【図７】
2006290596.tif 000009
【図８】
2006290596.tif 000010
【図９】
2006290596.tif 000011
【図１０】
2006290596.tif 000012
【図１１】
2006290596.tif 000013
【図１２】
2006290596.tif 000014
【図１３】
2006290596.tif 000015
【図１４】
2006290596.tif 000016
【図１５】
2006290596.tif 000017
【図１６】
2006290596.tif 000018
【図１７】
2006290596.tif 000019
【図１８】
2006290596.tif 000020
【手続補正書】
【提出日】平成17年7月12日(2005.7.12)
【手続補正１】
【補正対象書類名】特許請求の範囲
【補正対象項目名】請求項１
【補正方法】変更
【補正の内容】
【請求項１】
熱可塑性硬質合成樹脂材である例えば、ポリプロピレン樹脂材による一体成形品として得られるもので、肉薄細帯状のヒンジ部（２１）と、該ヒンジ部（２１）を介して左右対称に連設された一対の挟着部（２２）を含み、
前記一対の挟着部（２２）は、ばね性を有する一対の挟着片（２３）と、該一対の挟着片（２３）をコ字形に連結し、かつ前記ヒンジ部（２１）と連なる連結片（２４）を有し、該一対の挟着部（２２）は、養生パネルを連結する際に、それぞれ前記一対の挟着片（２３）がそのばね性に抗しコ字形に拡開して前記養生パネルが差し込まれ、かつ一対の挟着片（２３）のばね性により固定的に挟着連結される構成を特徴とする養生パネルの連結材（２０）。